Podtech/llm-jp-corpus-v4-ja_patent huggingface dataset:
(57)【要約】【課題】      本考案は、機器のデザインを損ねることなく太陽電池による充電を可能とする携帯電話、ＰＨＳ及び携帯情報端末である。【解決手段】  本考案は、折りたたみ式携帯電話及びＰＨＳのキーボード面９、液晶ディスプレイ面８に加え、液晶ディスプレイ面８の裏面かつ太陽電池部１に開閉可能な太陽電池面６、７を設け、充電及び充電電池の補助機能を持たせることにより問題点を解決している。また、折りたたむことのできない携帯電話、ＰＨＳ及び携帯情報端末については、その外装に太陽光発電の可能なカラー太陽電池の層を設け、充電及び充電電池の補助機能を持たせることにより問題点を解決している。【選択図】    図１
0003101692.tif 000002
【実用新案登録請求の範囲】
【請求項１】
太陽電池を内蔵する携帯電話及びＰＨＳであって、内蔵されている太陽電池を本体外部に露出することにより充電することが可能な携帯電話及びＰＨＳ。
【請求項２】
請求項１において、太陽電池を内蔵し本体外部に露出する方法は、３層構造の折りたたみ式を特徴とする携帯電話及びＰＨＳ。
【請求項３】
携帯電話、ＰＨＳ及び充電式携帯情報端末の外装に、カラー太陽電池の層を設け、充電及び充電電池の補助をすることが可能な携帯電話、ＰＨＳ及び充電式携帯情報端末。
【考案の詳細な説明】
【技術分野】
【０００１】  本考案は、太陽電池を本体に組み込む携帯電話、ＰＨＳ及び携帯情報端末に関するものである。
【背景技術】
【０００２】  旅行、出張等で充電器が使えない環境の場合、充電サービスや使い捨て電池等を購入する必要があった。
【考案の開示】
【考案が解決しようとする課題】
【０００３】  外出先で携帯電話、ＰＨＳ及び携帯情報端末の電池がなくなった場合、外出先で充電をするために経済的負担が必要であった。また、充電サービスや使い捨て電池等の販売店が近くにない場合は、充電することもできなかった。従って、携帯電話、ＰＨＳ及び携帯情報端末に、充電及び充電電池の補助機能を持たせる構造とすれば、前述の問題点を解決することが可能である。
【課題を解決するための手段】
【０００４】  本考案は、折りたたみ式携帯電話及びＰＨＳのキーボード面、液晶ディスプレイ面に加え、液晶ディスプレイ面の裏面かつ背面パネルの裏面に開閉可能な太陽電池面を設け、充電及び充電電池の補助機能を持たせることにより問題点を解決している。【０００５】  折りたたむことのできない携帯電話、ＰＨＳ及び携帯情報端末については、その外装に太陽光発電の可能なカラー太陽電池の層を設け、充電及び充電電池の補助機能を持たせることにより問題点を解決している。
【考案の効果】
【０００６】  上述の様に、携帯電話、ＰＨＳ及び携帯情報端末に太陽電池を搭載することにより、外出先に充電機器や使い捨て電池等を携行、もしくは購入する必要がなくなる。また、天然資源の節約にもなる。【０００７】  携帯電話、ＰＨＳ及び携帯情報端末外装のデザインに対する制約が少ないため、本考案の導入後も従来と変わらない自由なデザインが可能となる。
【考案を実施するための最良の形態】
【０００８】  折りたたみ式携帯電話及びＰＨＳについては、本体横面に設置されるボタンを押しながら機器を開くことで、太陽電池面を開くことが可能となる。また、前述ボタンを押さずに機器を開くことで、従来どおりのキーボード面と液晶ディスプレイ面を開くことが可能となる。
【実施例】
【０００９】  以下、添付図面に従って一実施例を説明する。折りたたみ式携帯電話及びＰＨＳの充電をする場合は、５のボタンを押しながら開くことにより、図２から図３の状態にする。そこで６、７の面が露出することにより充電をすることが可能となる。折りたたみ式携帯電話及びＰＨＳを通常の電話機として使用する場合は、５のボタンを押さずに開くことにより、図２から図４の状態となり、８の液晶ディスプレイ面と９のキーボード面が露出し、通常の電話機として操作が可能となる。図３から図４の状態へ、または図４から図３の状態にすることも可能である。その際、図４から図３の状態にする場合は、５のボタンを押す必要がある。
【図面の簡単な説明】
【００１０】
【図１】折りたたみ式携帯電話又はＰＨＳの全体の構造を示す斜視図である。
【図２】折りたたみ式携帯電話又はＰＨＳを閉じている側面図である。
【図３】折りたたみ式携帯電話又はＰＨＳの太陽電池面を開いている側面図である。
【図４】折りたたみ式携帯電話又はＰＨＳのキーボード面および液晶ディスプレイ面を開いている側面図である。
【符号の説明】
【００１１】    １  太陽電池部
２  太陽電池及び液晶ディスプレイ部
３  キーボード部
４  折りたたみ軸
５  太陽電池面を開くためのボタン
６  太陽電池面
７  太陽電池面
８  液晶ディスプレイ面
９  キーボード面
【図１】
0003101692.tif 000003
【図２】
0003101692.tif 000004
【図３】
0003101692.tif 000005
【図４】
0003101692.tif 000006
【手続補正書】
【提出日】平成15年10月27日(2003.10.27)
【手続補正１】
【補正対象書類名】実用新案登録請求の範囲
【補正対象項目名】全文
【補正方法】変更
【補正の内容】
【実用新案登録請求の範囲】
【請求項１】
太陽電池を内蔵する携帯電話であって、内蔵されている太陽電池を本体外部に露出することにより充電することが可能な携帯電話。
【請求項２】
請求項１において、太陽電池を内蔵し本体外部に露出する方法は、３層構造の折りたたみ式を特徴とする携帯電話。
【請求項３】
携帯電話の外装にカラー太陽電池の層を設け、充電及び充電電池の補助をすることが可能な携帯電話。
(57)【要約】【目的】  従来考案された郵便受け箱用受け口の欠点を解消し、郵便物以外のちらし広告が郵便受け箱内に入らない郵便受け箱用受け口を提供する。【構成】  本体（１）に複数の線状の受け口部（２）と本体（１）の片面に粘着部（３）を設ける。【選択図】  図１
0003101694.tif 000002
【実用新案登録請求の範囲】
【請求項１】
本体（１）に複数の線状の受け口部（２）と本体（１）の片面に粘着部（３）を設けたことを特徴とした郵便受け箱用受け口。
【考案の詳細な説明】
【考案の詳細な説明】
【産業上の利用分野】
【０００１】  この考案は、郵便受け箱に郵便物以外のちらし広告が投函されることを防止する郵便受け箱用受け口に関するものである。
【背景技術】
【０００２】  従来考案された郵便受け箱用受け口は、郵便受け箱への取り付けが難しく、貼付け部分の粘着部が郵便受け箱内側の不必要な位置に粘着してしまうため、効果が充分でないという問題があった。
【考案が解決しようとする課題】
【０００３】  これは、次のような欠点があった。
従来考案された郵便受け箱用受け口は、受け口本体部分に粘着面をもつ上部貼付け部分と下部貼付け部分で構成されており、粘着面をもつ貼付け部分が上部と下部の両方にあり、郵便受け箱への取り付けが難しく、貼付け部分の粘着面が郵便受け箱内側の不必要な位置に粘着してしまう。そのため、受け口本体部分の開口部に大きな隙間が発生してしまい、効果が充分でない場合があった。
本考案は、以上の欠点を解消するためになされたものである。
【課題を解決するための手段】
【０００４】  本体（１）に複数の線状の受け口部（２）と本体（１）の片面に粘着部（３）を設けたことを特徴とした郵便受け箱用受け口。
本体（１）と複数の線状の受け口部（２）は厚さ１から１０ミリ程度のスポンジ材または、ポリウレタン材、ポリプロ材などで構成される。
本考案は、以上の構成によりなる郵便受け箱用受け口である。
【作用】
【０００５】  複数の線状の受け口部（２）の上部先端が郵便受け箱の開口部上端にそろうようにして、粘着部（３）を郵便受け箱外側に貼付けて取り付ける。
【実施例】
【０００６】  以下、本考案の実施例をのべる。
（イ）  本体（１）に複数の線状の受け口部（２）と本体（１）の片面に粘着部（３）を設ける。
（ロ）  複数の線状の受け口部（２）の上部先端が郵便受け箱の開口部上端にそろうようにして、粘着部（３）を郵便受け箱外側に貼付けて取り付ける。
（ハ）  本体（１）は、郵便受け箱外側に粘着部（３）を貼付けるだけで取り付けができる。また、郵便受け箱外側に取り付けるため、粘着部（３）が郵便受け箱の不必要な位置に貼付くことがない。
（ニ）  本考案の郵便受け箱用受け口を取り付けた郵便受け箱に郵便物を投函すると、郵便物には重量があるので複数の線状の受け口部（２）が郵便受け箱内側へ押されて郵便受け箱内へ落下する。そして、概ね用紙一枚で構成されるちらし広告を郵便受け箱内に投函しようとすると、ちらし広告は紙面全体に張りが無く、わずかな重量であるために複数の線状の受け口部（２）上部先端と郵便受け箱の開口部上端に隙間をつくることができず、郵便受け箱内に投函することができなくなる。
本考案は、以上の構成よりなっている。
【考案の効果】
【０００７】  従来考案された郵便受け箱用受け口の欠点を解決することができ、郵便物以外のちらし広告が郵便受け箱内に入らない。
【図面の簡単な説明】
【図１】本考案の斜視図
【図２】従来考案されて郵便受け箱用受け口
【図３】郵便受け箱に本考案を取り付けした状態の正面図
【図４】郵便受け箱に本考案を取り付けした状態の断面図
【符号の説明】
１  本体
２  複数の線状の受け口部
３  粘着部
【図１】
0003101694.tif 000003
【図２】
0003101694.tif 000004
【図３】
0003101694.tif 000005
【図４】
0003101694.tif 000006
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
平板状の形をした本体（１）の一部に複数の線状の受け口部（２）と本体（１）の複数の線状の受け口部（２）以外の部分の一面に郵便受け箱に貼付け設置をするための粘着部（３）を設けた郵便受け箱用受け口。
(57)【要約】【課題】  本考案サンシェードはフロントガラスからの光の入射を防止するものであり、保安基準上走行中に使用する事ができ車両外装の美観を損なわないようにする。【解決手段】  本考案サンシェード１はフロントガラスの型を正確に取ったものであり、難しい固定装置を一切設けず室内から簡単に脱着することができる。サンシェード自体にステッカーを張ったりイラストを描いたりと個々人でカスタマイズすることが可能であり、外装の美観を全く損なうことがない。【選択図】  図２
0003101697.tif 000002
【実用新案登録請求の範囲】
【請求項１】
保安基準上走行中に使用することができ、特別な固定器具を使用することのない車両フロントガラスと車両本体の内装との間に内側からはめ込む事を特徴とする車両用サンシェード。
【考案の詳細な説明】
【考案の詳細】
【技術分野】
【０００１】本考案は車両のフロントガラスから入射する光を遮断する為の固定器具を要しない車両用サンシェード装置に関するものである。
【背景技術】
【０００２】運転中の光の入射を避けるものとして純正装着されているサンバイザーが普及している。
【考案の開示】
【考案が解決しようとする課題】
【０００３】走行中、純正装着のサンバイザーでは必ず隙間ができ、そこからの光の入射はかなり運転の妨げになり重大事故につながる可能性がある。しかも現在考案されている物は保安基準上走行中に使用できるものは大変少なく、また外装の美観を著しく損なわれる。
【課題を解決するための手段】
【０００４】上記課題を解決する為、本考案は走行中の使用に支障が出ることがなく、ステッカーやイラストを入れることができ外装の美観を全く損なわない車両用サンシェードを考案した。また難しい固定器具を一切設けず室内から簡単に脱着することができ、不必要な時は瞬時に脱着が可能である。
【考案の効果】
【０００５】保安基準上走行中に使用する事ができ光の入射を全く気にせずに走行できる。しかも走行中の外装の美観を全く損なうことがなく、むしろドレスアップにつながる。また、ステッカーを貼ったりイラストを描いたりと個々人でカスタマイズすることも可能であり、広告宣伝としても使用できる。
【考案を実施するための最良の形態】
【０００６】本考案サンシェードは各車両のフロントガラスの型を取り、サンシェードの型を適切な素材で抜き、固定器具を使用しないで車両に装着する。
【実施例】
【０００７】サンシェード本体１は比較的硬質で弾力性のある材質で一枚形成されたものを使用する。フロントガラスの型を狂いのないように的確に取り、仮組みを行い微調整を加える。【０００８】サンシェード本体１にステッカーやイラストを入れても保安基準上走行中使用する事ができ広告宣伝としても利用できる。【０００９】型抜きをしたサンシェード本体１を車両のバックミラーの後ろに潜り込ませセンターの位置を合わせる。最後にサンシェード本体の両端と上部を車両の内装との隙間にはめ込み位置を合わせる。
【図面の簡単な説明】
【００１０】
【図１】本考案の車両用サンシェードを示す正面図である。
【図２】本考案の一装着例を横断面で示す図である。
【図３】本考案の一装着例を正面外部から示す図である。
【符号の説明】
【００１１】１  サンシェード本体
２  車両本体
３  車両フロントガラス
４  バックミラー
５  ステアリングホイール
６  シート
【図１】
0003101697.tif 000003
【図２】
0003101697.tif 000004
【図３】
0003101697.tif 000005
【手続補正書】
【提出日】平成15年12月10日(2003.12.10)
【手続補正１】
【補正対象書類名】実用新案登録請求の範囲
【補正対象項目名】全文
【補正方法】変更
【補正の内容】
【実用新案登録請求の範囲】
【請求項１】
車両用前部ガラスまたは後部ガラスの上部に車内内側より遮光できる車両用サンシェードにおいて、前部ガラスまたは後部ガラス内側の寸法を正確にかたどった硬質で弾力性の有する一枚板状の資材を使用し、下部両端を鋭角に裁断し、さらに厚みを０．５ミリメートル程度に裁断する事により装着時に前部ガラスまたは後部ガラスと車両本体の接着部分とのシーリングにくい込み、ガラスに沿って突っ張る事により固定できる事を特徴とする車両用サンシェード。
【手続補正２】
【補正対象書類名】明細書
【補正対象項目名】全文
【補正方法】変更
【補正の内容】
【考案の詳細な説明】
【考案の詳細】
【技術分野】
【０００１】本考案は車両の前部ガラスまたは後部ガラスから入射する光を遮断する為のガラスに沿って突っ張る事により固定する事のできる車両用サンシェード装置に関するものである。
【背景技術】
【０００２】運転中の光の入射を避けるものとして純正装着されているサンバイザーが普及している。
【考案の開示】
【考案が解決しようとする課題】
【０００３】走行中、純正装着のサンバイザーでは必ず隙間ができ、そこからの光の入射はかなり運転の視界妨げになり重大事故につながる可能性がある。しかも現在考案されている物は保安基準上走行中に使用できるものは大変少なく、また外装の美観を著しく損なわれるものである。
【課題を解決するための手段】
【０００４】上記課題を解決する為、本考案は走行中の使用に支障が出ることがなく、外装の美観を全く損なわない車両用サンシェードを考案した。また室内からガラスに沿って突っ張る事により固定するため、車内より脱着することができ、不必要な時は脱着が可能である。
【考案の効果】
【０００５】保安基準上走行中に使用する事ができ光の入射を全く気にせずに走行することができる。しかも走行中の外装の美観を全く損なうことがない。また、ステッカーを貼ったりイラストを描いたりと個々人でカスタマイズすることも可能であり、広告宣伝用等としての使用も可能である。
【考案を実施するための最良の形態】
【０００６】本考案サンシェードは前部ガラスまたは後部ガラス内側の寸法を正確にかたどった硬質で弾力性の有する一枚板状の資材を使用し、ガラスに沿って突っ張る事により固定し車両に装着する。
【実施例】
【０００７】サンシェード本体１は前部ガラスまたは後部ガラス内側の寸法を正確にかたどった硬質で弾力性の有する一枚板状の資材を使用し、厚みを０．５ミリメートル程度に裁断し、さらに下部両端を鋭角に裁断する。【０００８】サンシェード本体１にステッカーやイラストを入れて使用する事により、広告宣伝用等としての利用も可能である。【０００９】サンシェード本体１を車両のバックミラーの後ろに潜り込ませセンターの位置を合わせる。最後にサンシェード本体の下部両端と両端側面を車両の前部ガラスまたは後部ガラスと車両本体の接着部分とのシーリングにくい込み、ガラスに沿って突っ張らせ固定させる。
【図面の簡単な説明】
【００１０】
【図１】本考案の車両用サンシェードを示す正面図である。
【図２】本考案の一装着例を横断面で示す図である。
【図３】本考案の一装着例を正面外部から示す図である。
【符号の説明】
【００１１】    １  サンシェード本体    ２  車両本体    ３  車両フロントガラス    ４  バックミラー    ５  ステアリングホイール    ６  シート
(57)【要約】【課題】  本考案は、ラックに収納されたテレビやビデオなどの上や、家具の隙間の電気掃除機による清掃を、容易にするものである。【解決手段】  本考案は、電気掃除機のノズルを取り付けるパイプに、細いステンレス製フレキシブルパイプを用いることにより、ノズルの向きの設定が自由になり、直線的に固定されたパイプでは難しかった狭い箇所を清掃できるようにした。【選択図】  図１
0003101693.tif 000002
【実用新案登録請求の範囲】
【請求項１】
電気掃除機のノズルを取り付けるパイプにステンレス製フレキシブルチューブを用い、狭い所や高いところの清掃を行う際、自由にノズルの向きや角度を固定して行う電気掃除機用パイプ
【考案の詳細な説明】
【技術分野】
【０００１】  本考案は、吸引パイプにステンレス製フレキシブルパイプを用いた電気掃除機用パイプに関するものである。
【背景技術】
【０００２】  電気掃除機でラックに収納されたテレビやビデオなどの上や、家具の隙間を清掃する場合、従来の掃除機パイプでは、ノズルの挿入が困難な場合が多く、清掃に手間取っていた。
【考案の開示】
【考案が解決しようとする課題】
【０００３】  電気掃除機でラックに収納されたテレビやビデオなどの上や、家具の隙間を清掃する際ノズルが直線的に固定されたものであれば、細部の清掃が困難である。したがって、ノズルを取り付けるパイプを細くて且つフレキシブルなものにすることにより、細部の清掃が可能になり前述の欠点を解決するものである。
【課題を解決するための手段】
【０００４】  本考案は、電気掃除機のノズルを取り付けるパイプに、ステンレス製フレキシブルパイプを用い、ノズルの向きを自由に設定し、直線的に固定されたパイプでは難しかった箇所を清掃できるようにすることで問題点を解決している。
【考案の効果】
【０００５】  電気掃除機のノズルを取り付けるパイプを細くてフレキシブルなものにすることによりラックに収納していたテレビやビデオなどを、ノズルの挿入できる隙間さえあれば、収納場所から引き出すことなく細部まで清掃することができるようになる。また、パイプがフレキシブルであるため、エアコンの上など高い箇所も踏み台を使用することなく清掃することができる。
【考案を実施するための最良の形態】
【０００６】  電気掃除機の吸引にかかる負荷を過度にしないようにするため、フレキシブルパイプの断面積は、家庭用掃除機付属の最も細いノズルの吸入口断面積に相当する程度のものとする。また、取り付けるノズルの太さも、パイプの径程度のものとする。そうすることによって、掃除機に過度の負担をかけることなく隙間などの細部の清掃をすることができる。
【実施例】
【０００７】  以下、添付図面に従って実施例を説明する。１はステンレスフレキシブルパイプを覆うフレキシブルプラスチックチューブ、２は先端のノズル、３はノズルに埋め込まれたブラシ、４は掃除機のパイプに装着するためのアダプターである。【０００８】  ５はステンレス製フレキシブルパイプで、ノズルの向きを自由に半固定するためのものである。【０００９】  本考案の一実施例は上述の通りであり、ステンレス製フレキシブルパイプをフレキシブルなプラスチックチューブで覆うことにより、ステンレスと清掃対象物との接触による傷等を防止することができる。
【図面の簡単な説明】
【００１０】
【図１】本考案の電気掃除機用ステンレス製フレキシブルパイプの一実施例を示す外観図である。
【図２】本掃除機用フレキシブルパイプの断面図である。
【符号の説明】
【００１１】  １  フレキシブルプラスチックチューブ
２  吸引ノズル
３  ブラシ
４  掃除機のパイプに装着するためのアダプター
５  ステンレス製フレキシブルパイプ
【図１】
0003101693.tif 000003
【図２】
0003101693.tif 000004
【手続補正書】
【提出日】平成15年12月15日(2003.12.15)
【手続補正１】
【補正対象書類名】実用新案登録請求の範囲
【補正対象項目名】全文
【補正方法】変更
【補正の内容】
【実用新案登録請求の範囲】
【請求項１】
電気掃除機の吸口において、ブラシ付きノズルと可撓性のあるステンレス製フレキシブルチューブを組み合わせて供することにより、除塵作業を行う際、自由にノズルの向きや角度を調整し、半固定することを可能とする吸口体。
(57)【要約】      （修正有）【課題】メガネの汚れを早く綺麗に磨くことができるようにする。【解決手段】２枚の円盤状のフェルトをモーターにより回転させ、レンズを挟み込んで磨くようにした。携帯用のオシャレなデザインにし、いつでも気軽に磨けるようにする。円盤のフェルトは交換できる。（スペア別売り）【選択図】図３
0003101686.tif 000002
【実用新案登録請求の範囲】
【請求項１】
モーターにより、円盤状のフェルトを回転させ、めがねの汚れを拭き取る製品。
【考案の詳細な説明】
【考案の詳細な説明】
【考案が解決しようとする課題】
【０００１】  従来、めがねケースに汚れ拭きは備わっているが、使用する人はあまりいない。また、少しぐらいの汚れは気にしない、あるいは気づかない人が多く、視力低下の原因にもなっている。
【課題を解決する為の手段】
【０００２】  上記課題を解決するために、携帯用のオシャレなデザインにし、いつでも気軽に磨けるようにする。円盤のフェルトは交換できる。（スペア別売り）
【考案の効果】
【０００３】  度の強い人ほど汚れでギラギラしていても平気でいる。さらに視力を悪化させている。そこでこの商品を購入することによって意識を促す契機にもつながる。
【図面の簡単な説明】
【図１】  全体図及び寸法。
【図２】  フェルトの円盤接続部分の図
【図３】  使用例の図
【図１】
0003101686.tif 000003
【図２】
0003101686.tif 000004
【図３】
0003101686.tif 000005
【手続補正書】
【提出日】平成15年11月21日(2003.11.21)
【手続補正１】
【補正対象書類名】実用新案登録請求の範囲
【補正対象項目名】全文
【補正方法】変更
【補正の内容】
【実用新案登録請求の範囲】
【請求項１】
電池式モーターにより、２枚のフェルト状の物を回転させ、レンズを両面から挟む事を特徴とし、汚れを拭き取るメガネ拭き
【手続補正３】
【補正対象書類名】明細書
【補正対象項目名】全文
【補正方法】変更
【補正の内容】
【考案の詳細な説明】
【技術分野】
【０００１】電池式モーターで２枚のフェルトを回転させ、レンズを挟み汚れを拭き取るメガネ拭き
【背景技術】
【０００２】従来、メガネ拭きは布やティッシュ、メガネクリーナーなど使用していたが、より早く綺麗にするものはなかった。
【考案の開示】
【考案が解決しようとする課題】
【０００３】そのために次のような問題点があった。・布やティッシュ、メガネクリーナーなどはメガネを磨くのに手間がかかり、汚れたままで使用するケースが多い。本考案は、以上の問題点を解決するためになされたものである。
【課題を解決するための手段】
【０００４】すばやく手軽にレンズを磨くために、モーターにより２枚のフェルトを回転させ、レンズを磨くことができるようにした。
【考案の効果】
【０００５】手間がかからなくなり、こまめにレンズを磨いくことができるようになった。
【考案を実施するための最良の形態】
【０００６】以下、本考案の実施の形態を説明する。（イ）本体（１）の先に２枚の回転するフェルトをつける。（ロ）モーター（７）でフェルトを回転させる。
【実施例】
【０００７】図３に示すように、２枚のフェルトでレンズを挟み、回転させ磨く。
【図面の簡単な説明】
【０００８】
【図１】本考案の実施例を示す図
【図２】本考案の正面図
【図３】本考案の本体とフェルトの接続図
【符号の説明】
【０００９】  １  本体  ２  フェルト  ３  凹受け軸  ４  凸軸  ５  回転ケーブル  ６  ＋・−電極ケーブル  ７  モーター  ８  電池
【手続補正４】
【補正対象書類名】図面
【補正対象項目名】全図
【補正方法】変更
【補正の内容】
【書類名】図面    【図１】0003101686.tif 000006
【図２】0003101686.tif 000007
【図３】0003101686.tif 000008
(57)【要約】【課題】赤ちゃんの沐浴時や怪我等で片手しか使えないとき、ポンプを押し乍ら石鹸液を手のひらに受けようとする無理な体勢により、零れ落ちる石鹸液が多く無駄になるため、確実に受け止め確実に石鹸液を確保できるようにする。【解決手段】スポンジ本体１の切り込み部分２にポンプのノズル４を差し込み、排出された石鹸液を蓄積させスポンジが落下しないように、ノズルに装着するストッパー本体５とスポンジ本体１とを紐８で連結して落下を防止し、片手でも石鹸液を垂れ零すことなく確実に石鹸液を受け止められるようにした。【選択図】図２
0003101685.tif 000002
【実用新案登録請求の範囲】
【請求項１】
ポンプ式液体石鹸のノズル石鹸液排出口先端にスポンジを装着し石鹸液を蓄積させることにより片手での垂れ零しを防止する。
【請求項２】
落下防止のためスポンジに空けた穴と、ノズルに装着するストッパーを紐で連結させる
【考案の詳細な説明】
【考案の詳細な説明】
【考案が解決しようとする課題】
【０００１】赤ちゃんの沐浴時や怪我等により、一方の手が使えない場合にポンプを押しながら石鹸液を直接手のひらに受け止めることは困難であり、石鹸液を無駄に垂れ零してしまう問題点があった。
【課題を解決するための手段】
【０００２】片手でも無駄なく石鹸液を受け取れるよう、スポンジ本体１の切り込み部分２に、ノズル４を差し込み、石鹸液が蓄積できるようにし、スポンジが落下しないように、スポンジ本体１の紐取付穴３とストッパー本体５の紐取付穴６とを紐８で結びノズル挿入穴７にノズル４に装着する。
【考案の効果】
【０００３】スポンジに石鹸液が蓄積されるので、垂れ零れる石鹸液が節約され、片手でポンプを押しながら石鹸液を受けようとする無理な体勢が解消される。
【図面の簡単な説明】
【図１】  スポンジ本体と紐つきストッパーを示した平面図である。
【図２】  考案したスポンジの使用状況を示す平面図である
【符号の説明】
１スポンジ本体
２切り込み部分
３紐取付穴
４ポンプ式石鹸液ノズル
５ストッパー本体
６紐取付穴
７ノズル挿入穴
８紐
【図１】
0003101685.tif 000003
【図２】
0003101685.tif 000004
【手続補正書】
【提出日】平成15年9月9日(2003.9.9)
【手続補正１】
【補正対象書類名】実用新案登録請求の範囲
【補正対象項目名】全文
【補正方法】変更
【補正の内容】
【実用新案登録請求の範囲】
【請求項１】
ポンプ式液体石鹸のノズル石鹸液排出口先端にスポンジを装着し石鹸液を蓄積させることにより片手での垂れ零しを防止する片手でポンプ式液体石鹸をキャッチする為のスポンジ。
【請求項２】
スポンジに空けた穴と、ノズルに装着するストッパーを紐で連結させることにより、スポンジの落下を防止することを特徴とする請求項１に記載の片手でポンプ式液体石鹸をキャッチするためのスポンジ。
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
ポンプ式液体石鹸の石鹸液を片手で受けなければならない際の石鹸液の垂れ零しを防止するとともに容易に手のひらに石鹸液をつける為に球状のスポンジの一部にノズルを差し込む為の穴をあけたポンプ式石鹸液ノズル排出口先端に装着する為のスポンジ
【請求項２】
ポンプを押し石鹸液を排出した時の勢いと重みによる球状スポンジ本体の落下を防止する為にストッパーと繋ぐ紐を通す為の穴をあけた球状スポンジ本体と球状スポンジと繋ぐ紐を通す穴とノズルに装着するためのノズルを通す穴の２穴をもったストッパーとを紐で繋ぐことによりスポンジの落下を防止することを特徴とする請求項１に記載の片手でポンプ式液体石鹸をキャッチするためのスポンジ
【手続補正書】
【提出日】平成15年12月9日(2003.12.9)
【手続補正１】
【補正対象書類名】実用新案登録請求の範囲
【補正対象項目名】全文
【補正方法】変更
【補正の内容】
【実用新案登録請求の範囲】
【請求項１】
ポンプ式液体石鹸の石鹸液を片手で受けなければならない際の石鹸液の垂れ零しを防止するとともに容易に手のひらに石鹸液をつける為に球状のスポンジの一部にノズルを差し込む為の穴をあけたポンプ式石鹸液ノズル排出口先端に装着する為のスポンジ
【請求項２】
ポンプを押し石鹸液を排出した時の勢いと重みによる球状スポンジ本体の落下を防止する為にストッパーと繋ぐ紐を通す為の穴をあけた球状スポンジ本体と球状スポンジと繋ぐ紐を通す穴とノズルに装着するためのノズルを通す穴の２穴をもったストッパーとを紐で繋ぐことによりスポンジの落下を防止することを特徴とする請求項１に記載の片手でポンプ式液体石鹸をキャッチするためのスポンジ
(57)【要約】      （修正有）【課題】フタをしたまま浴槽に水、湯を入れることができるホースを提供する。【解決手段】浴槽のカベに吸着板又は永久磁石３で固定し、Ｌ型パイプ２の先端を水道の蛇口にビニールホースかワンタッチのジョイント等で取り付け、もう一方の端はフタと浴槽の間から差し入れると、塩化ビニールホース１は柔らかいので、フタの重みで平たくなるが水、湯が通ると水圧で膨らみ水、湯は浴槽に入る。給水または給湯を終えると、フタの重みで塩化ビニールホース１は平たくなり、浴槽とフタの間のスキ間が小さくなる。【選択図】図１
0003101687.tif 000002
【実用新案登録請求の範囲】
【請求項１】
Ｌ型パイプ（２）の先に塩化ビニールホース（１）を取り付ける。
【考案の詳細な説明】
【産業上の利用分野】
【００１】この考案は、蛇口より浴槽に水、湯を入れるための物である。
【背景技術】
【００２】従来、蛇口よりフタをしたまま、浴槽に水、湯を入れる商品はなかった。
【考案が解決しようとする課題】
【００３】これは、次のような欠点があった。
（イ）浴槽に水、湯を入れるには、１、２枚フタでは蛇口部分までづらせるか外して、又ロール式のフタであれば蛇口部分まで巻いて開けて置かねばならなかった。
本考案は、これらの欠点を除くためになされたものである。
【課題を解決するための手段】
【００４】Ｌ型パイプ（２）の途中に、吸着板又は永久磁石（３）を可動式に取り付け、Ｌ型パイプ（２）の先端に塩化ビニールホース（１）を接着したものである。
本考案は以上のような構成よりなる浴槽に、水、湯を送るものである。
【考案を実施するための最良の形態】
【００５】以上の構成であるから、浴槽のカベに吸着板又は永久磁石（３）で固定しＬ型パイプ（２）の先端を水道の蛇口にビニールホースかワンタッチのジョイント等で取り付け、もう一方の端は塩化ビニールホース（１）は柔らかいので、フタの重で平たくなるが水、湯が通ると水圧で膨らみ水、湯は浴槽に入る。
【考案の効果】
【００６】したがって、水、湯が止まればフタの重みで塩化ビニールホース（１）は平たくなりスキ間も少ないので、冬の寒い日でも湯が冷めにくく、経済的である。
【図面の簡単な説明】
【図１】  本考案の斜視図である。
【符号の説明】
１  塩化ビニール  ２  Ｌ型パイプ  ３吸着板、永久磁石
【図１】
0003101687.tif 000003
【手続補正書】
【提出日】平成15年11月22日(2003.11.22)
【手続補正１】
【補正対象書類名】実用新案登録請求の範囲
【補正対象項目名】全文
【補正方法】変更
【補正の内容】
【実用新案登録請求の範囲】
【請求項１】
吸着板又は磁石により壁に固定可能なＬ型パイプと、該Ｌ型パイプの先に取り付けた塩化ビニールホースからなる給水・給湯用ホース。
【手続補正３】
【補正対象書類名】明細書
【補正対象項目名】全文
【補正方法】変更
【補正の内容】
【考案の詳細な説明】
【技術分野】
【０００１】  この考案は、蛇口より浴槽に水、湯を入れるためのホースに関する。
【背景技術】
【０００２】  従来、蛇口よりフタをしたまま浴槽に水、湯を入れるための商品はなかった。
【考案の開示】
【考案が解決しようとする課題】
【０００３】  従来、蛇口よりフタをしたまま浴槽に水、湯を入れるには、１、２枚のフタでは蛇口部分までずらせるか外して、また、ロール式のフタであれば蛇口部分まで巻いて開けて置かねばならなかった。
本考案は、これらの欠点を除くためになされたもので、蛇口よりフタをしたまま浴槽に水、湯を入れることができるホースを提供することを目的とする。
【課題を解決するための手段】
【０００４】  Ｌ型パイプ（２）の途中に、吸着板又は永久磁石（３）を可動式に取り付け、Ｌ型パイプ（２）の先端に塩化ビニールホース（１）を接着したものである。
本考案の給水・給湯用ホースは、以上のような構成からなり、浴槽に水、湯を送るものである。
【考案の効果】
【０００５】  本考案の給水・給湯用ホースを用いて浴漕に給水または給湯することにより、水、湯が止まればフタの重みで塩化ビニールホース（１）は平たくなり、浴槽とフタの間のスキ間も少なくなるので、冬の寒い日でも湯が冷めにくく、経済的である。
【考案を実施するための最良の形態】
【０００６】  本考案の実施の形態を、代表的な実施例に基づいて図を用いて説明する。
本考案の給水・給湯ホースは、図１に示すように構成され、浴槽のカベに吸着板又は永久磁石（３）で固定し、Ｌ型パイプ（２）の先端を水道の蛇口にビニールホースかワンタッチのジョイント等で取り付け、もう一方の端はフタと浴槽の間から差し入れると、塩化ビニールホース（１）は柔らかいので、フタの重みで平たくなるが水、湯が通ると水圧で膨らみ水、湯は浴槽に入る。給水または給湯を終えると、フタの重みで塩化ビニールホース（１）は平たくなり、浴槽とフタの間のスキ間が小さくなる。
【図面の簡単な説明】
【０００７】
【図１】  本考案の給水・給湯用ホースの斜視図である。
【符号の説明】
【０００８】    １  塩化ビニールホース
２  Ｌ型パイプ
３  吸着板又は永久磁石
(57)【要約】      （修正有）【課題】床（フロアー）の状態に合わせて速やかに靴底のブラシ掛け、及び水に濡らした布で調整して踊りと一体になるようにすることができるダンスブラシを提供する。【解決手段】底板と左右に設けた側壁にそれを支える後壁を有し、底板の略中央部にブラシ本体受台２を設置し、そのダンスブラシの中心部の受台上面に専用ダンスブラシ４をワンタッチで着脱自在に設置したことを特徴とする。【選択図】図１
0003101690.tif 000002
【実用新案登録請求の範囲】
【請求項１】
ダンスブラシの目的は、社交ダンスの愛好家が楽しく安全にダンスフロアーと一体となって踊ることにある。今回の箱型に設計したダンスブラシは、前面をフラットにしてあり、その周りは強度のあるステンレス３０４厚さ１ミリを使用し、中央に特注のダンスブラシを作成して強度のある形状にし、しっかりと支える形になっている。このダンスブラシは、横１０センチ長さ２３センチ、厚さ１．６センチの木製の台の上に埋め込み、ブラシ自体の大きさは横８センチ縦１８センチ高さ１．５センチにしてあり、強度において充分に耐えられる設計にしてある。特注のダンスブラシ本体は傾斜角度が２段階に変えられる構造になっており、ワンタッチで古いダンスブラシと取り替えが可能にしてある。サークルのレッスン・ダンスパーティー・競技会と立ったまま手を汚さず気軽に自由に使用でき、アタッシュケースの中に収納して、女性の方でも気軽に移動できる重さであり、いつどこでも活用できる設計になっているダンスブラシ
【考案の詳細な説明】
【技術分野】
【０００１】社交ダンスブームは今も続いており、ダンスは日頃の踊りの積み重ねであり、奥深いデリケートな踊りです。社交ダンスは、常に床でしっかりと体重移動ができないと良い踊りが伴わない。特にダンスシューズは、フロアーと密接に合っていないとよい踊りができない。ここで新開発のダンスブラシは、ワイヤーブラシ掛けや水に濡らした布を置くことができ、いつでもベストに調整できる。
【背景技術】
【０００２】特に社交ダンスは、通常のレッスン・ダンスパーティー・競技会と使用度が多いと靴底面が滑り易くなり危険が伴う。一般的にダンスフロアーの滑り止めは、専用のスプレー缶やローソクの粉を撒いたり、雑巾を濡らして靴底を調整したり、市販されているワイヤーブラシで腰をかがめて、手に持ってブラシ掛けをやっていた。考案したダンスブラシはこれを一体型に集約しており、ブラシ掛けや濡らした布を本体の横に置いて、立ったまま調整することができる発明品。
【考案の開示】
【考案が解決しようとする課題】
【０００３】今回の考案したダンスブラシは、総合的に画期的な商品です。アタッシュケースの中にすっぽりと収納でき、携帯に便利で、女性でも自由に移動できる重さである。サークル・ダンスパーティー・競技会でどこでも自由に設置して素敵なダンス衣装を着たまま必要な時に立ったままの姿で、自由にブラッシングができ、本体横の濡らした布でベストコンディションに調整ができる。
【課題を解決するための手段】
【０００４】普通サークルや小規模なダンスパーティーなどで乾燥した日は、素敵な衣装を着ていても手ブラシ掛け（市販されているワイヤーブラシ）をやり、汚れがとても心配だった。今回考案したダンスブラシは、立ったままの姿でブラシ掛けができ、また水に濡らした雑巾で自由に調整ができる発明品。
【考案の効果】
【０００５】考案したダンスブラシはトータル一体型で製作し、ワイヤーブラシを中央に設計し、片方ずつ靴を交互に即座にブラシ掛けでき、横に置いてある濡れた雑巾でより良いダンスシューズに仕上げ、安定した踊りができるとともに、一曲一曲の音楽に合うすばらしいダンスが踊れた。
【考案を実施するための最良の形態】
【０００６】考案にあたり「耐久性に優れていること・大人の体重がまともに掛かることもあるので丈夫であること」などを考え、本体はステンレス３０４の厚さ１ミリを使用し、安全にそしてデザインもスマートで美的感覚にも優れた一体型の仕上げである。
【実施例】
【０００７】完成品をダンスサークル・東京の有名なダンスホール・ホテルのダンスパーティーなどに一週間程設置してテストを実施。その結果使用された方々は、「なかなか良くできている・使い易い・しっかりしている」などの声が多く、特に「手を汚さずにいつでもできる便利さがよかった」という声が多かった。
【産業上の利用可能性】
【０００８】考案したダンスブラシは、健康維持の目的で社交ダンスを始めている人が多いので、高齢者社会になりつつある今も社交ダンス愛好家が増加しており、この分野の産業の知名度は高く、試作の出来上がりは最高であり、商品価値があると見ている。
【図面の簡単な説明】
【０００９】
【図１】本考案の本体と中央部新開発のダンスブラシは、傾斜角度が２段階にできるとともにワンタッチで取り替えできる正面図である。
【図２】ダンスブラシ全体の各部分の図と本体の一部切欠断面図である。
【符号の説明】
【００１０】１  一体型ダンスブラシ本体
２  ダンスブラシ本体の受台
３  一段目傾斜角度受台
４  二段目傾斜角度受台
５  特注品専用ダンスブラシ
６  アタッシュケース
７  滑り止め雑巾マット
【図１】
0003101690.tif 000003
【図２】
0003101690.tif 000004
【手続補正書】
【提出日】平成15年10月28日(2003.10.28)
【手続補正１】
【補正対象書類名】実用新案登録請求の範囲
【補正対象項目名】全文
【補正方法】変更
【補正の内容】
【実用新案登録請求の範囲】
【請求項１】
ダンスブラシ本体は、底板と左右に設けた側壁にそれを支える後壁を有し、底板の略中央部にブラシ本体受台を設置し、そのダンスブラシの中心部の受台上面に専用ダンスブラシをワンタッチで着脱自在に設置したことを特徴とする一体型ダンスブラシ。
【手続補正２】
【補正対象書類名】明細書
【補正対象項目名】００１０
【補正方法】変更
【補正の内容】
【００１０】１  一体型ダンスブラシ本体
２  ブラシ本体受台
３  ２段目傾斜角度受台
４  特注専用ダンスブラシ
５  出し入れ用ヒモ
【手続補正３】
【補正対象書類名】図面
【補正対象項目名】全図
【補正方法】変更
【補正の内容】
【図１】
0003101690.tif 000005
【図２】
0003101690.tif 000006
【図３】
0003101690.tif 000007
【手続補正書】
【提出日】平成16年1月8日(2004.1.8)
【手続補正１】
【補正対象書類名】手続補正書
【補正対象項目名】手続補正４
【補正方法】追加
【補正の内容】
【手続補正４】
【補正対象書類名】明細書
【補正対象項目名】０００９
【補正方法】変更
【補正の内容】
【０００９】
【図１】  平面図
【図２】  断面図
【図３】  平面図と脱着自在のブラシ
(57)【要約】      （修正有）【課題】眼球横部からの光線を低減するサングラスレンズを提供する。【解決手段】蓋のような形状をしたアンカットレンズを、曲面部３を残してカットし、曲面部２と曲面部３とを一体に成型してなるサングラスレンズであって、曲面部２と曲面部３の曲率はそれぞれ一定で、曲面部３の曲率は曲面部２の曲率よりも大きくする。【選択図】図３
0003101681.tif 000002
【実用新案登録請求の範囲】
【請求項１】
図１で示すように、蓋のような形状をしており、２曲面部は全て同曲率とし、３曲面部は予め定めた曲率で成型し、２曲面部及び３曲面部を一体化して成型する。
【考案の詳細な説明】
【０００１】
【産業上の利用分野】
本考案は、サングラスを装着した時に眼球横部からの防眩効果があり、従って、眼球への影響と障害を低減防止できる。
【０００２】
【従来の技術】
従来のサングラスは、図５の断面図で示すようにレンズ全体が同率の曲面で成型されている。
【０００３】
【考案が解決しようとする課題】
従来の技術でのべたように、レンズ全体が同率の曲面で成型されたサングラスレンズを装着した場合、眼球横部に空間ができ、そこから眼球への障害となる紫外線や赤外線等が入り込むという問題点を有していた。
【０００４】
【課題を解決するための手段】
上記の目的を解決達成するためには、眼球横部からの光線が入り込まないようなレンズ、即ち、レンズ２曲面部は従来のレンズと変わりなく成型し、３曲面部のようなカバーを取り付けることによって、眼球横部からの光線を低減防止できる。
【０００５】
【作用】
特殊防眩サングラスレンズは、眼球目尻側横部からの光線を出来るだけ遮断する。それには、個々の顔形に合った眼鏡を装着することにより尚一層の防眩効果が、得られます。
【０００６】
【実施例】
実施例について図面を参照して説明する。
図１、図２で示すように、蓋状のレンズはポリカーボネイトを使用し、成型加工により厚み２ｍｍ程度の肉厚で成型されている。このレンズは玉型カット前、即ち、アンカットレンズであり、このレンズから図４のように好みの玉型にカットする。
【０００７】
レンズカットの方法は、図３の断面図のように前面部は２曲面部を使用し、目尻からの側部は３曲面部を使用する。
【０００８】
【考案の効果】
本考案は、上記のとおり構成されているので、次に記載する効果を奏する。
【０００９】
請求項１の特殊サングラスレンズにおいては、このレンズで製作された眼鏡を装着することにより、眼球横部から入り込む光線が著しく低減されて眼球の保護になる。又、装着した感じがフアッション性に優れて居る。
【図面の簡単な説明】
【図１】アンカットレンズの正面断面図である。
【図２】アンカットレンズの上面図である。
【図３】レンズカット後の正面断面図である。
【図４】レンズカット後の上面図である。
【図５】従来のレンズの正面断面図である。
【図６】従来のレンズの上面図である。
【符号の説明】
１    レンズ中心
２    曲面部
３    曲面部
【図１】
0003101681.tif 000003
【図２】
0003101681.tif 000004
【図３】
0003101681.tif 000005
【図４】
0003101681.tif 000006
【図５】
0003101681.tif 000007
【図６】
0003101681.tif 000008
【手続補正書】
【提出日】平成15年9月9日(2003.9.9)
【手続補正１】
【補正対象書類名】明細書
【補正対象項目名】実用新案登録請求の範囲
【補正方法】変更
【補正の内容】
【実用新案登録請求の範囲】
【請求項１】
図１で示すように、蓋のような形状をしており、２曲面部は全て同曲率とし、３曲面部は全て予め定めた曲率で成型し、２曲面部、及び３曲面部を一体化して成型したサングラスレンズ。写真参考願います。
【手続補正書】
【提出日】平成15年12月2日(2003.12.2)
【手続補正１】
【補正対象書類名】明細書
【補正対象項目名】実用新案登録請求の範囲
【補正方法】変更
【補正の内容】
【実用新案登録請求の範囲】
【請求項１】
２曲面部と、２曲面部の周囲に配置された３曲面部とを一体に成型してなるサングラスレンズであって、２曲面部と３曲面部の曲率はそれぞれ一定で、３曲面部の曲率は２曲面部の曲率よりも大きいことを特徴とするサングラスレンズ。
(57)【要約】      （修正有）【課題】これまでの犬の糞を回収する装置は使い捨てにする概念が乏しく、仮に使い捨て容器があるとしても、取り扱いが容易で、かつキレイに回収できるような容器は見当たらなかった。そこで、この課題に対応する使い捨て容器を提供する。【解決手段】紐２を取り付けた袋１を用いて糞を覆うように置き、紐がループ状になるように糞の前面で交差させ、さらに紐の先端を左右に引くと、最終的には紐が一本の線となって糞の下を通り抜ける性質を利用して、糞を回収することを特徴とする。この過程で、糞は紐に付帯する袋の中に自然に取り込まれるので、後は袋を下部の方から丸めて、コンパクトに処理することができる。【選択図】図１
0003101647.tif 000002
【実用新案登録請求の範囲】
【請求項１】
袋（１）の端部に紐（２）を取り付けた犬の糞を回収する使い捨て容器
【考案の詳細な説明】
【考案の詳細な説明】
【技術分野】
【０００１】この考案は、犬の糞を回収する使い捨て容器に関する。
【背景技術】
【０００２】従来の犬の糞を回収する装置は使い捨てにする概念が乏しく、仮にあるとしても、取り扱いが容易で、かつキレイに処理できる商品は見当たらなかった。
【考案が解決しようとする課題】
【０００３】この考案は上記のような事情に着目して開発されたもので、取り扱いが容易で、かつキレイに犬の糞を回収する使い捨て容器を提供する。
【課題を解決するための手段】
【０００４】紐（２）を糞の周りにループ状に置いて、（２）の先端を左右に引くと、ループは小さく絞り込まれ、最終的には（２）が一本の線となって糞の下を通り抜けてしまう性質を利用して、課題を解決する方策とした。
【考案を実施するための最良の形態】
【０００５】本考案の実施例を図面に参照して、以下に説明する。【０００６】〔図−１〕は本考案の鳥瞰図である。容器のより具体的な形状をイメージすれば〔図−２〕のようになる。円筒状の袋（１）をａ−ａ′の方向から裁断し、次にｂ−ｂ′の方向から裁断する。続いて、ａ−ａ′の裁断面に沿って長さ５０センチメートル程度の紐（２）を取り付けた形である。【０００７】使用の態様を説明する。まず、〔図−１〕の袋（１）の部分を上にとり、（１）で糞を覆うように置き、紐（２）は糞の前面で交差させる。  続いて、回収の動作は、この考案の特徴が（２）の働きによることから、（２）の動作を〔図−３〕に現して説明する。（２）の両側の先端を手に取って、地面に近いところで左右に引いて（２）のループを絞り込むと、（２）は糞の下に入り込んでループが小さくなり、最終的には一本の線となって糞の下を通り抜けてしまう。  本考案はこの性質を利用したもので、その過程で糞は（２）に付帯する（１）の中に自然に取り込まれてしまうので、後は（１）を下部の方から丸めてコンパクトに収容することができる。（２）は後処理の括り紐として活用することもできる。【０００８】袋（１）の材料は糞の滲み出しを防ぐために防水材を用いるが、処理後に（１）を丸める際の手にかかる感触を考慮して、（１）の内側に紙タオル地のように弾力性のある材料を張り付けることもできる。
【本考案の効果】
【０００９】本考案は袋（１）と紐（２）を組み合わせ、（２）の動作を工夫して課題を解決しており、取り扱いが容易で、かつキレイに犬の糞を回収する使い捨て容器を提供するものである。
【図面の簡単な説明】
【図１】この考案の鳥瞰図である。
【図２】袋（１）の形状のイメージ図である。
【図３】この考案の動作に用いる紐（２）の軌跡図である。
【符号の説明】
１は糞を回収する袋            ２は糞を回収する動作に用いる紐
【図１】
0003101647.tif 000003
【図２】
0003101647.tif 000004
【図３】
0003101647.tif 000005
(57)【要約】【課題】  一般に人の遺骨つぼには、記名しないので長い年月が経ち、保管している遺骨つぼの数が増加すると、個々の遺骨名識別が困難な場合が多い。近年はこれを防止する為、遺骨つぼの前に識別札を立てる例も有るが、これも数が多くなれば、遺骨つぼを置き間違えたりする危惧が存在するので、祖先の遺骨の尊厳を維持しつつ、確実に・明暸に・長期に・安全に、遺骨名を識別できるようにする。【解決手段】金属板を、星型に切り抜き、その５つの足の光条の先端を危険防止の為、角を取り除き丸みを付け、そして星型の５つの光条を下方に曲げ、そのバネの力を利用して、遺骨つぼの蓋の上から遺骨つぼを挟み、この金属板１は自然では、遺骨つぼから離脱しないようにしてある。又この金属板の中央に、戒名・俗名・年代等を刻み込んでおけば、遺骨つぼと一体となって移動するので、確実に・明瞭に・長期に・安全に、遺骨名を識別できる。【選択図】  図１
0003101646.tif 000002
【実用新案登録請求の範囲】
【請求項１】
金属板を、星型に切り抜き、その５本の足の光条を下方に曲げて、遺骨つぼの蓋の上から遺骨つぼを挟み、この金属板は自然では、遺骨つぼから離脱しないようにした、遺骨つぼに被せる為の金属板の形状。
【考案の詳細な説明】
【考案の詳細な説明】
【技術分野】
【０００１】金属板を、星型に切り抜き、その５本の足の光条を下方に曲げて、遺骨つぼの蓋の上から遺骨つぼを挟み、この金属板に必要な記名等を行い、長期間、遺骨名を識別しようとするホルダーであって、仏具の分野に属する。
【従来の方法】
【０００２】特別良好な環境で保管されて居る場合を除き、一般に人の遺骨つぼは、記名しないので長年経過すると、遺骨つぼが複数以上の時は遺骨名個々の識別が困難になり、仮に記名が有っても長年経過すると記名が薄れて同じく識別が困難な場合が多い。近年はこれを防止する為、遺骨つぼの前に識別札を立てる例も有るが、これも数が多くなれば、遺骨つぼを置き間違えたりする危惧が存在する。
【考案が解決しようとする課題】
【０００３】本考案には、祖先の遺骨の尊厳を維持しながら、個々の遺骨つぼを、長期間確実に識別して、更に本考案の金属板を装着した遺骨つぼの取り扱いが安全でなければならない問題点が有った。
【課題を解決するための手段】
【０００４】祖先の遺骨の尊厳を維持しながらの件に付いては、星の形の金属板で、遺骨つぼの上を覆う事は、天井界の上に有る星に、より近づく事で有り、遺骨の尊厳を傷つけないと思考されます。
個々の遺骨つぼを確実に識別する件に付いては、星型の金属板の５本の光条を、下方に曲げてその挟むバネの力を利用して、蓋の上から遺骨つぼを挟んでいるので自然の力では、遺骨つぼから離脱する事は無く、この星型の金属板の中央に、戒名・俗名・年代等を刻み込んで置けば、経年変化しても一目瞭然に遺骨つぼを識別でき，又遺骨つぼ本体には何ら傷を付ける事は無い。遺骨つぼの取り扱いが安全で有る件に付いては、星型の光条の先端の角を取り丸くして有り、更に金属板平面の角も、角落としをして丸くしてあるので、万一お墓の遺骨保管場所の状況が劣悪でも、星型の光条の先端等で、指を負傷し発症する危惧は無い。
【考案の効果】
【０００５】遺骨つぼの上に、本考案の星型の金属板遺骨名識別用ホルダーを装着する事により、複数個以上の遺骨名を一目暸然に、又金属板の中央に戒名・俗名・年代等を刻み込む事ができるので、長期間識別できる利点が有る。更に遺骨つぼの個々に被せて有り、遺骨つぼと一体となって容易に移動する事が出来、星型金属板の５本の光条を下方に曲げてバネの力を利用して遺骨つぼを挟んで居るので、自然では離脱しないから遺骨名の錯誤を防止できる。又、本考案の金属板の星型の光条の先端の角を取り丸くし、更に金属板平面の角も、角落としをして丸くしてあるので、この金属板に触って指等を負傷する事は無い。
加えて金属板には、貴金属の使用を避ける事により、お墓の盗掘から逃れられる可能性は高い。従って長期の識別効果を期待できる。
【図面の簡単な説明】
【０００６】
【図１】考案の星型の金属板の遺骨名識別用ホルダーを、遺骨つぼに装着した斜視図である。
【図２】考案の星型の金属板の光条を下方に曲げる前の上面図である。
【図３】本考案の星型の金属板の遺骨名識別用ホルダーを、遺骨つぼに装着した側面図である。
【図４】本考案の星型の金属板の遺骨名識別用ホルダーを、遺骨つぼに装着した上面図である。
【符号の説明】
【０００７】１  星型の金属板
２  星型の光条を下方に曲げた部分
３  遺骨つぼ
４  星型の金属板の光条先端の角を切り落とし、丸みをつけた部分
【図１】
0003101646.tif 000003
【図２】
0003101646.tif 000004
【図３】
0003101646.tif 000005
【図４】
0003101646.tif 000006